(57)【要約】本発明は、関連する記録キャリアから読み取られたパラメータから光駆動装置を動作する事に関する。データ支援適応ループは、現代の通信及び記憶システムで使用されることがある。適応ループにおける安定な開始ポイント及び適応ループの高速な集束による高速かつロバストなすタートアップを保証するため、情報データフィールドは、スタートアップパラメータを含み、スタートアップパラメータは、推薦されたライトパラメータに関する情報、推薦されたライトパラメータが使用されるケースについて結果的に得られるチャネル応答に関連する情報を含む。光駆動装置のスタートアップでは、ビット検出器のチャネル応答は、スタートアップパラメータに基づいて計算される。
2008542973.tif 000002
【特許請求の範囲】
【請求項１】
最適化されたドライブのスタートアップによる関連する光記録キャリアの光駆動装置であって、
前記光記録キャリアから光学的なエフェクトを読取り、及び／又は前記光記録キャリアに光学的なエフェクトを記録するように放射線ビームを放出する放射線源と、
リード信号を提供するように、記録されたエフェクトを読み取る読取りユニットと、
測定された光信号のリード信号の値に対応する変調ビットを提供するビット検出器とを有し、
前記関連する光記録キャリアは、スタートアップパラメータを含む情報データフィールドを有し、前記スタートアップパラメータは、推薦されたライトパラメータに関する情報と、推薦されたライトパラメータが使用されるケースについて結果的に得られるチャネル応答に関する情報を含み、
前記光駆動装置のスタートアップ状況では、前記ビット検出器のチャネルは、スタートアップパラメータに基づいて計算される、
ことを特徴とする光駆動装置。
【請求項２】
前記結果的に得られるチャネル応答は、推薦されたライトパラメータの使用により得られるリード信号におけるリーディング及び／又はトレーリングエッジの平均の遷移のシフトの観点でパラメータ表示される、
請求項１記載の装置。
【請求項３】
前記結果的に得られるチャネル応答は、ビタビ基準レベルの形式での全体のチャネル応答である、
請求項１記載の装置。
【請求項４】
前記結果的に得られるチャネル応答に加えて、前記スタートアップパラメータは、チャネル応答を得るために使用される光学的スポットを規定する情報を含む、
請求項１記載の装置。
【請求項５】
記録可能な媒体に光学的なエフェクトを記録するように、前記放射線源が放射線ビームを放出する記録の状況で、放射線ビームは、１以上のライトパラメータを含むライトストラテジに従って放出され、最初のライトストラテジは、前記スタートアップパラメータに基づいて決定される、
請求項１記載の装置。
【請求項６】
記録プロセスの第一の部分で関連するキャリアに設けられる光学的なエフェクトの平均の遷移のシフトを評価し、平均の遷移のシフト及びスタートアップパラメータに基づいてライトストラテジにおける１以上のライトパラメータのうちの少なくとも１つを読取り、最適化する処理手段を更に有し、
最適化されたライトストラテジは、記録プロセスの第二の部分で使用される、
請求項５記載の装置。
【請求項７】
前記ライトパルスにおける１以上のライトパラメータは、特定のタイプのリーディング及び／又はトレーリングエッジの平均の遷移のシフトに従って最適化される。
請求項６記載の装置。
【請求項８】
トラックに沿って実質的に位置される光学的に読取り可能なエフェクトを記録及び／又は再生する基板及び少なくとも１つのトラックとを有し、
前記関連する光記録キャリアは、スタートアップパラメータを有する情報データフィールドを有し、前記スタートアップパラメータは、推薦されたライトパラメータに関する情報と前記推薦されたライトパラメータが使用されるケースについて結果的に得られるチャネル応答に関連する情報とを含む、
ことを特徴とする光記録キャリア。
【請求項９】
光駆動装置のスタートアップパラメータを設定する方法であって、
前記装置は、
前記光記録キャリアから光学的なエフェクトを読取り、及び／又は前記光記録キャリアに光学的なエフェクトを記録するように放射線ビームを放出する放射線源と、
リード信号を提供するように、記録されたエフェクトを読み取る読取りユニットと、
測定された光信号のリード信号の値に対応する変調ビットを提供するビット検出器とを有し、
当該方法は、
前記関連する光記録キャリアから、情報データフィールドに含まれるスタートアップパラメータを読取るステップと、前記スタートアップパラメータは、推薦されたライトパラメータに関する情報と、推薦されたライトパラメータが使用されるケースについて結果的に得られるチャネル応答に関する情報を含み、
スタートアップパラメータに従って、前記光駆動装置のスタートアップ状況のパラメータを設定する、
ことを特徴とする方法。
【請求項１０】
光記録装置を制御する集積回路であって、
当該集積回路は、関連する光記録キャリアで含まれる情報データフィールドから読み取られるスタートアップパラメータに従って１以上の動作パラメータを設定することで光ドライブを動作するために構成される、
ことを特徴とする集積回路。
【請求項１１】
請求項９記載の方法に従って光記録装置を制御するコンピュータ読取り可能なコード。
【発明の詳細な説明】
【技術分野】
【０００１】
本発明は、光駆動装置に関し、より詳細には、関連される記録キャリアから読み取られたパラメータから光駆動装置を動作することに関する。
【背景技術】
【０００２】
データ支援適応ループ（ｄａｔａ−ａｉｄｅｄ  ａｄａｐｔａｔｉｏｎ  ｌｏｏｐ）は、現代の通信及び記憶装置で使用されることがある。さらに、あるケースでは、競争のない非データ支援の代替が利用可能である。これは、たとえば、６０ｎｍ以下でのチャネルビット長をもつ高い密度での超高密度のＢｌｕ−ｒａｙ光ディスクシステムにおけるケースである。
【０００３】
乏しい品質のデータ判定のケースでは、ループが不安定となり、これが完全なシステムの故障をもたらすので、信頼できるデータ判定がデータ支援適応ループに提供される必要がある。この問題は、適応ループの大部分が未だに確定していないときに、システムスタートアップの間に特に重要である。先の問題を解決し、適応ループの確実なスタートアップを保証するため、プリアンブルは、ユーザデータ間で固定されたロケーションでストレージメディアに書き込まれる場合があり、適応ループは、プリアンブルから推定されて読み取られたデータパターンを使用して制御される。かかるスキームは、たとえばハードディスクドライブの大部分において利用される。次いで、これら既知のプリアンブルパターン（たとえばＥＰ特許出願０６３７０２４）を使用して、適応チャネルの応答の予測／等化が実行される。
【０００４】
他方で、既存の光ディスクフォーマット（たとえばＣＤ、ＤＶＤ又はＢｌｕ−ｒａｙディスク）は、プリアンブルフィールドを利用しない。フォーマットにそれらを含まない理由の１つには、スクラッチのようなメディアの欠陥に対して鈍感になるという願望のためであり、プリアンブルに基づくシステムは、損傷されたプリアンブルフィールドのケースでは、それらに強く依存するので厳しい問題を有する場合がある。
【０００５】
（大部分の現代の光ディスクシステムで使用されるような）ビタビビット検出器は、たとえば、信頼できるビット判定を行うために、チャネルモデルを知る必要がある。スタートアップの間、所与のディスクのチャネルモデルは、ビタビ検出器にとって未知であり、そのデフォルトのチャネルモデル（工場でプログラムされる）が所与のディスクに関連する実際のチャネル応答から大きく離れる場合に失敗する場合がある。
【発明の開示】
【発明が解決しようとする課題】
【０００６】
したがって、光ディスクシステムのケースで、特にスタートアップの間にビット検出回路の合理的なパフォーマンスを保証するため、当該技術分野で必要が存在する。
【課題を解決するための手段】
【０００７】
本発明は、改善されたドライブのスタートアップ時間とロバスト性を保証する改善された手段をもつ、改善された光駆動装置及び関連するキャリアを提供することにある。好ましくは、本発明は、１以上の上記問題又は他の問題を単独で又は任意の組み合わせで緩和又は軽減する。したがって、第一の態様では、最適化されたドライブのスタートアップをもつ光駆動装置及び関連する光記録キャリアが提供され、当該装置は、光記録キャリアの光学的なエフェクト（ｅｆｆｅｃｔ）を読取り、及び／又は、光記録キャリアに光学的なエフェクトを記録するように、放射線ビームを放出する放射線源、読取り信号を提供するように記録されたエフェクトを読み取る読取りユニット、及び、測定された光信号のリード信号の値に対応する変調ビットを供給するビット検出器を有し、関連される光記録キャリアは、スタートアップパラメータを含む情報データフィールドを有し、スタートアップパラメータは、推薦されたライトパラメータに関する情報、推薦されたライトパラメータが使用されたときに結果的に得られるチャネル応答に関連する情報を含む。光駆動装置のスタートアップの状況において、ビット検出器のチャネル応答は、スタートアップパラメータに基づいて計算される。
【０００８】
第一の態様に係る発明は、特に、排他するものではないが、ビット検出器の計算されたチャネル応答がスタートアップパラメータに基づくことで、改善されたドライブのスタートアップ時間及びロバスト性が保証されるので有利である。スタートアップチャネル応答が推薦されたライトパラメータのチャネル応答に基づくことで、適応ループにおける安定な開始ポイントが保証され、ロバストなスタートアップ手順が提供される。また、適応ループの高速な集束が保証され、これにより、高速なスタートアップも提供される。
【０００９】
ビット検出にとって、製造業者により提供されるブランクのリライタブル又はライトワンスディスクに、推薦された書込みに関連するパラメータ及び結果的に得られるライトチャネル応答を有することは有利である。ディスクの製造業者により情報が供給される場合、全体の（ライト＋リード）チャネル応答は、スタートアップの間にドライブにより計算され、ビット検出器を立ち上げることは、非常に容易なタスクとなる。これは、最初の基準レベルのセットが近似的に既知のドライブリードチャネル応答を使用して計算されるためである。同じことが、ＲＯＭディスクのケースにもあてはまり、ディスク製造業者が製造プロセスにおいてディスクのマスタリング及び複製のために使用されるライトチャネル応答を供給する場合に、ビット検出のロバスト性について極端に有効である。
【００１０】
従属の請求項２に定義される光学的な特徴は、推薦されたライトパラメータの使用により得られたリード信号におけるリーディング及び／又はトレーリングエッジの平均の遷移のシフトの観点で結果的に得られるチャネル応答のパラメータ表示により、ライトチャネル応答の非常に便利なパラメータでの表示がディスクに記録されるので有利である。リード信号におけるリーディング及び／又はトレーリングエッジの平均の遷移のシフトの使用は、かかるシフトが受信機に依存しないために特に有利である。したがって、情報がディスクに記録され、これは、受信機の機器の仕様を考慮する必要がない。
【００１１】
従属の請求項３に定義される光学的な特徴は、ビタビ基準レベルの形式で全体のチャネル応答を提供することで、最も現代の光ディスクシステムで使用される公知のフォーマットでチャネル応答が提供され、これにより、多様かつロバストな装置が提供されるので有利である。基準レベルは、使用されるビタビ検出器のタイプに依存する。したがって、ディスクに配置される全体のチャネル応答データは、良好に規定される光スポット及び等化パラメータによる所定の基準リードアウトシステムについて規定され（ＣＤ／ＤＶＤ／ＢＤ規格における所定の基準の設定についてジッタ値が規定されるやり方に類似して）、ビタビタイプが規定される場合がある。
【００１２】
従属の請求項４に定義される光学的な特徴は、チャネル応答を取得するために使用される光学的なスポットを規定する情報を含むことで、更に完全なパラメータのセットが提供され、これにより、更に高速かつ更にロバストなスタートアップが容易になるので有利である。
【００１３】
従属の請求項５乃至７に定義される光学的な特徴は、適切なライトストラテジが記録の状況で選択されることが保証され、確実な記録セッションが保証されるので有利である。平均の遷移のシフト及びスタートアップパラメータに基づいてライトパラメータを最適化することで、関連するキャリアの意図された光学的なエフェクトと関連するキャリアの現実の光学的なエフェクトとの間のダイレクトなコネクションは、記録セッションの開始から既に確立され、これにより、最適な記録の状態、及びその結果、最適なデータが保証される。
【００１４】
第二の態様では、光記録キャリアは、基板と、トラックに沿って実質的に位置される光学的に読み取り可能なエフェクトを記録及び／再生するために適合される少なくとも１つのトラックとを有し、関連する光記録キャリアは、スタートアップパラメータを含む情報データフィールドを有し、スタートアップパラメータは、推薦されたライトパラメータに関する情報と、推薦されたライトパラメータが使用されるケースで結果的に得られるチャネル応答に関連する情報を含む。
【００１５】
第二の態様に従って提供される記録キャリアは、第一の態様の関連するキャリアとして有利に使用される場合がある。
【００１６】
情報データフィールドは、メインチャネル又はサイドチャネル（たとえばウォブルチャネル）に含まれる情報フィールドとして配置される。情報データフィールドは、ディスクのスタートアップの間に常に読み取られるディスクの情報ゾーンの一部であるか、ディスクの情報ゾーンに配置される。このように、ライトチャネルパラメータＣＤ、ＤＶＤ及びＢＤシステムに記憶されるやり方に類似して、ロバストに回復可能な情報フィールドが提供される。情報データフィールドは、たとえばヘッダ及びボディを有する、所与のデータ構造を有する。ヘッダは、たとえば情報データフィールドの開始を示し、ボディは、スタートアップパラメータ及びおそらく他のパラメータ、更にはディスク情報等を有する。
【００１７】
第三の態様によれば、本発明の第一の態様に係る光駆動装置のスタートアップパラメータを設定する方法が提供される。  
第四の態様によれば、本発明の第一又は第三の態様に係る光記録装置を制御する集積回路（ＩＣ）が提供される。  
第五の態様によれば、本発明の第三の態様の方法に係る光記録装置を制御するコンピュータ読取り可能なコードが提供される。
【００１８】
本発明の第四及び第五の態様によれば、特に、限定するものではないが、本発明の第三の態様の動作をコンピュータシステムが実行するのを可能にするＩＣ又はコンピュータプログラムをインストールすることで、本発明は実現される点で有利である。したがって、幾つかの既知の光学システムは、光駆動装置のシステムを制御するコンピュータシステムでＩＣ及び／又はコンピュータプログラムをインストールすることで本発明に従って動作するために変形されることが想定される。かかるコンピュータプログラムは、たとえば磁気に基づいた媒体又は光に基づいた媒体といった任意の種類のコンピュータ読取り可能な媒体、若しくはたとえばインターネットのようなコンピュータに基づいたネットワークを通して提供される。
【００１９】
本発明の態様は、他の態様の何れかとそれぞれ結合される。本発明のこれらの態様及び他の態様は、以下に記載される実施の形態を参照して明らかにされるであろう。本発明の実施の形態は、添付図面を参照して例示を通して記載される。
【発明を実施するための最良の形態】
【００２０】
図１は、関連する光記録キャリアからの情報の読取り、及び／又は、関連する光記録キャリアへの情報の書込みが可能な光駆動装置１を概念的に例示する図である。  
現実の光駆動装置は、様々な機能をもつ多数のエレメントを有しており、ここでは数個のみが例示されている。モータ手段８，１０は、ディスク１１を回転し、光スポット３がディスク上の所望の位置で焦点合わせられ、位置されるように、光ピックアップユニット５の動きを制御するために存在する。光ピックアップユニットは、ディスクの光学的なエフェクト（ｅｆｆｅｃｔ）を読み取るため、レーザ６、各種光学素子及び光検出器７を含む。フォーカスされたレーザ光は、記録モードにおいて、光学的なエフェクトが光ディスクに提供されるように十分に強い。代替的に、読取りモードでは、レーザパワーは、物理的な変化を誘発するためには不十分である。
【００２１】
ストレージ装置の制御は、モータ制御９及び光制御２により例示されるように、ハードウェアの実現により行われる場合がある。さらに、マイクロプロセッサ制御手段４が存在する。マイクロプロセッサ制御手段（たとえば集積回路（ＩＣ）手段）は、たとえばユーザが、高水準の制御ソフトウェアによるような、装置の動作に影響を与えるように、ハードウェア処理手段及びソフトウェア処理手段の両者を含む場合がある。高水準の制御設定の例は、記録モードにおける放出されたレーザパワーのライトストラテジにおけるパルス形状の制御を含む。
【００２２】
図２は、光信号から計算された一連のチャネルビットを例示する。一連のチャネルビット２０は、スペース又は高い反射率の領域である、第一の幅２１１をもつ第一の領域から反射された光に対応する第一のセクション２１、マーク又は低い強度の領域である、第二の幅２２１をもつ第二の領域から反射された光に対応する第二のセクション２２を含む。第一の領域から第二の領域への遷移は、リーディングエッジ２３でラベリングされ、第二の領域から第一の領域への遷移は、トレーリングエッジ２４でラベリングされる。
【００２３】
現実のディスクに関して、高い反射率（スペース）から低い反射率（マーク）への遷移は、正しい位置に常にない。幾つかは左にあり（時間的に早い＝ネガティブ）、及び幾つかは右にある（時間的に遅い＝ポジティブ）。このことは、測定されたエッジポジションを示す点線２７により例示される。図では、時間軸２８は、水平軸として例示され、時間軸は、いわゆる１Ｔ（＝１チャネルビット）解像度で離散的にされる。理想的な信号について、遷移は、１Ｔマーク上にある。
【００２４】
マークと前／次の隣接するスペースの様々な組み合わせの平均的な遷移のシフトは、光ディスクで測定される場合がある。遷移のシフトのマトリクス表現の例は、公称のライトストラテジによるライトワンスディスクでの測定のために図３で与えられる。
【００２５】
図３では、全てのリーディング（図３Ａ）及びトレーリング（図３Ｂ）エッジのシフトは、ディスクの所与のセクションについて示されており、現在のマーク（ｘ軸）及び前／次のスペース（ｙ軸）のそれぞれの組み合わせについて、ドット３０が描かれている。ドットは、シフトが存在しないとき、クロスポイント３１で正確に発見され、ポジティブなシフト（余りに遅い）が存在するとき、このクロスポイントの右３２で発見され、ネガティブなシフト（余りに早い）が存在するとき、このクロスポイントの左３３で発見される。
【００２６】
ビット検出器は、ディスクに存在するときにビット系列を抽出するために存在する。抽出は、誤り訂正ステップ、信号処理、チャネル符号化／復号化等のような多数のステップを必要とする複雑にされたプロセスである。このプロセスでは、チャネル応答が確立される必要がある。図４は、本発明の実施の形態に関するビタビビット検出を概念的に例示する。
【００２７】
図４では、ビット系列１００１００１１（参照符号４０）は、光記録キャリア４１に存在する。しかし、放射線ビームからのコンボリューションのため、リード信号は、ビット系列４２を表す変調された信号である。高密度の記録キャリアに関して、リード信号は、たとえばシンボル間の現象、マークの形状等のために直接的に抽出可能である。ビタビビット検出スキームでは、幾つかのビット系列が評価され４４、最も可能性の高いビット系列４５は、キャリアに存在するときに系列として考慮される。ビット系列を抽出するため、チャネルモデル応答４３は、ビット系列のリード信号をモデル化するために使用される。
【００２８】
図５は、本発明に従ってスタートアップ手順において適切な動作を容易にするために行われるステップを例示する。
【００２９】
ステートアップ手順ＳＵ５０では、関連するディスクの情報データフィールドが最初に調べられるＩＤＦ５１。関連する光記録キャリアの情報データフィールドは、ディスクのスタートアップの間に常に読み取られるディスクの情報ゾーンの一部であるか、又はディスクの情報ゾーンに配置される場合がある。光駆動装置がスタートアップパラメータ５２に基づいてビット検出器のチャネル応答を計算又は構築するように、情報データフィールドは、推薦されたライトパラメータ、及び推薦されたライトパラメータが使用されたケースについて結果的に得られるチャネル応答に関連する情報を含む。光ドライブ５３の通常のリードライト（Ｒ／Ｗ）のような更なる動作が継続される場合がある。データフィールドの情報は、スタートアップの間にのみ使用されるか、又は適切な場合には後のステージで使用される場合がある。情報データフィールドに含まれる推薦されたライトパラメータは、定義されるようなパラメータと使用される公称、最大及び最小の記録速度、各種のディスク速度で使用される最大のリードパワー、ライトストラテジを確立すると共に使用される各種パラメータ、パルス期間等のようなパラメータである。
【００３０】
結果的に得られるチャネル応答は、推薦されるライトパラメータの使用により得られるリード信号におけるリーディング及び／又はトレーリングエッジの平均の遷移のシフトの観点でパラメータ表示される場合がある。代替的に、結果的に得られるチャネル応答は、ビタビ基準レベルの形式で全体のチャネル応答である。
【００３１】
光駆動装置の機能性に依存して、多かれ少なかれ情報は情報データフィールドに提供されるか、又は、代替的に、光ドライブ装置は、情報データフィールドから情報を抽出するために構成される場合がある。情報データフィールドは、チャネル応答を得るために使用される光スポットを規定する情報を含む。情報データフィールドは、記録の状況等での使用のため、最初のライトストラテジを規定する情報を含む。
【００３２】
１実施の形態では、情報データフィールドは、図３におけるマトリクスフォーマットで例示される、リーディング及び／又はトレーリングエッジのエッジシフトを含む。エッジシフトは、この情報は、読取り／記録セッショを通して他の目的のために使用される場合があるので、初期のチャネル応答を抽出するためにそれらを使用するのに加えて、特に有利である。例として、記録プロセスの第一の部分おける関連するキャリアに設けられる光学的なエフェクトの平均の遷移のシフトは、その後のデータの読取りにより評価され、平均の遷移のシフト及びスタートアップパラメータに基づいてライトストラテジを最適化し、最適化されたライトストラテジは、記録プロセスの第二の部分で使用される。エッジシフトは、情報データフィールドで提供されるように、ディスクの製造業者により推薦される状況について既知であるので、関連されるキャリアへのデータの記録は、推薦されるデータに対して連続的に評価され、記録された光学的なエフェクトと基準の光学的なエフェクトの間の差を最小するため、ライトストラテジをどのように調節するかを指示する実験的なルールのようなルールに従って調節される。基準の光学的なエフェクトは、推薦されるエッジシフトにより表され、情報データフィールドで提供される。ルールは、特定のタイプのリーディング及び／又はトレーリングエッジの平均の遷移のシフトに従ってライトパルスが最適化されることを含む場合がある。
【００３３】
本発明は好適な実施の形態と共に記載されたが、本明細書で述べて特定の形態に限定されることは意図されていない。むしろ、本発明の範囲は、特許請求の範囲によってのみ制限される。
【００３４】
このセクションでは、開示された実施の形態の所定の特定の詳細は、本発明の明確かつ全体的な理解を提供するために、限定のためであるよりも説明のために述べられている。しかし、本発明は、この開示の精神及び範囲から著しく逸脱することなしに、本明細書で述べられた詳細に正確に一致しない他の形態で実施される場合があることを、当業者により容易に理解される。さらに、このコンテクストでは、簡単かつ明確さのため、公知の装置、回路及び方法の詳細な説明は、不必要な詳細及び可能性のある混乱を回避するように省略される。
【図面の簡単な説明】
【００３５】
【図１】関連する光記録キャリアからの情報の読取り、及び／又は、関連する光キャリアへの情報の書込みが可能な光記録装置を概念的に示す図である。
【図２】光信号から計算された一連のチャネルビットを概念的に例示する図である。
【図３】マークランレングスからスペースランレングスへの遷移のためにマトリクスグラフを示す図である。
【図４】本発明の実施の形態に関するビタビビット検出を概念的に例示する図である。
【図５】本発明に係るスタートアップ手順のステップを例示する図である。
【図１】
2008542973.tif 000003
【図２】
2008542973.tif 000004
【図３】
2008542973.tif 000005
【図４】
2008542973.tif 000006
【図５】
2008542973.tif 000007
【国際調査報告】
2008542973.tif 000008
2008542973.tif 000009
2008542973.tif 000010